(57)【要約】【課題】  導光部材を用いて表示手段を照明するにあたり、表示品位が低下する虞のない表示装置を提供する。【解決手段】  導光部材８３が、光源８２からの照明光を受光する受光部８５と、照明光を表示手段８１側に出射する出射部８７とを備え、導光部材８３の出射部８７との対向領域には粗面部８８が設けられている表示装置において、粗面部８８は、第１の表示部Ｄ１に対応するように設けられ、粗さが所定値に設定された第１粗面部Ｐ１と、第２の表示部Ｄ２に対応するように設けられ、粗さが所定値よりも大きい値に設定された第２粗面部Ｐ２とを備え、受光部８５と第２粗面部Ｐ２との間に第１粗面部Ｐ１が位置し、表示板（覆い部材）５０には、導光部材８３を経て表示手段８１に供給される照明光を利用して表示手段８１越しに視認されることになる第１粗面部Ｐ１と第２粗面部Ｐ２との境界部Ｐ３を、視認者側から視認不可視とする不可視部５５が設けられている。【選択図】図３
2015206851.tif 000002
【特許請求の範囲】
【請求項１】
光源からの照明光を導光部材を介して表示手段に導くとともに、
前記導光部材が、前記光源からの照明光を受光する受光部と、前記受光部を通じて前記導光部材に導入された照明光を前記表示手段側に出射する出射部とを備え、
前記導光部材の前記出射部との対向領域には粗面部が設けられている表示装置において、
前記表示手段を覆う覆い部材を有し、
前記粗面部は、前記第１の表示部に対応するように設けられ、粗さが所定値に設定された第１粗面部と、
前記第２の表示部に対応するように設けられ、粗さが前記所定値よりも大きい値に設定された第２粗面部とを備え、
前記受光部と前記第２粗面部との間に前記第１粗面部が位置し、
前記覆い部材には、前記導光部材を経て前記表示手段に供給される照明光を利用して前記表示手段越しに視認されることになる前記第１粗面部と前記第２粗面部との境界部を、視認者側から視認不可視とする不可視部が設けられていることを特徴とする表示装置。
【請求項２】
前記覆い部材は、所定の表示意匠部と前記表示意匠部の背景を形成する不透過性の地色部とを有する表示板であり、
前記不可視部は、前記第１の表示部と前記第２の表示部とを区画するように、前記地色部に一体的に設けられていることを特徴とする請求項１記載の表示装置。
【請求項３】
前記覆い部材は、前記表示手段の可視領域を定める前面パネルであり、
前記不可視部は、前記第１の表示部と前記第２の表示部とを区画するように、前記前面パネルに設けられていることを特徴とする請求項１記載の表示装置。
【請求項４】
前記表示手段と前記導光部材とを少なくとも収容する収納空間部を有するケース体が前記覆い部材の背後側に位置しており、
前記表示意匠部を照明するための発光体と、
前記発光体からの他の照明光を前記表示意匠部へと導くように前記ケース体に設けられた照明空間部とを備え、
前記ケース体には、前記他の照明光の一部が前記導光部材へと導かれるように、前記収納空間部と前記照明空間部とを連通させる貫通孔部が設けられていることを特徴とする請求項２記載の表示装置。
【発明の詳細な説明】
【技術分野】
【０００１】
本発明は、例えば光源からの照明光を導光部材を介して表示手段に導く構成とした表示装置に関するものである。
【背景技術】
【０００２】
従来より、この種の表示装置にあっては、例えば下記特許文献１に記載されているものが知られている。この特許文献１に記載の表示装置は、各種車両情報を表示する横長矩形状の液晶表示パネル（表示手段）を備え、光源からの照明光を液晶表示パネルの背後に沿うように配置された横長矩形状の導光部材を介して液晶表示パネルに導くとともに、導光部材が、光源からの照明光を受光するようにその長手方向の端部に位置する一側壁部から垂下形成された受光部と、この受光部を通じて導光部材に導入された照明光を液晶表示パネル側に出射する出射部とを備え、導光部材の出射部との対向領域にはシボ加工等からなる粗面部が設けられているものである。
【先行技術文献】
【特許文献】
【０００３】
【特許文献１】特開２０１２−７３０５７号
【発明の概要】
【発明が解決しようとする課題】
【０００４】
ところで、例えば横長矩形状の液晶表示パネルを左右に略２等分して、当該液晶表示パネルを前記一側壁部から近い位置にある第１エリアと、前記一側壁部から遠い位置にある第２エリアとに区分けし、第１エリアは車速情報を表示する第１の表示部を有し、第２エリアは車速情報とは異なる情報（例えば燃料の残量を表示する残燃料情報）を表示する第２の表示部を有するような条件下にあっては、照明ムラが生じないように導光部材の出射部との対向領域に設けられる粗面部の粗さ（シボ深さ）を、第１エリアと第２エリアとで異ならせる必要がある。
【０００５】
つまり、粗面部は、第１の表示部に対応するように設けられ、粗さが所定値に設定された第１粗面部と、第２の表示部に対応するように設けられ、粗さが前記所定値よりも大きい値に設定された第２粗面部とを備えることで、粗面部から出射部へと至る照明光の光量調整が行われ、照明ムラを抑制するようになっている。
【０００６】
しかしながら、この粗面部から出射部へと至る照明光によって、液晶表示パネルが透過照明され、視認者が第１、第２の表示部を視認する際に、視認者側からは、第１、第２の表示部に加えて、本来、視認されるべきではない第１粗面部と第２粗面部との間に形成されるライン状境界線（境界部）が液晶表示パネル越しに視認され、表示品位の低下を招く虞があり、更なる改良の余地が残されていた。
そこで本発明は、前述の課題に対して対処するため、導光部材を用いて表示手段を照明するにあたり、表示品位が低下する虞のない表示装置の提供を目的とするものである。
【課題を解決するための手段】
【０００７】
本発明は、光源からの照明光を導光部材を介して表示手段に導くとともに、前記導光部材が、前記光源からの照明光を受光する受光部と、前記受光部を通じて前記導光部材に導入された照明光を前記表示手段側に出射する出射部とを備え、前記導光部材の前記出射部との対向領域には粗面部が設けられている表示装置において、前記表示手段を覆う覆い部材を有し、前記粗面部は、前記第１の表示部に対応するように設けられ、粗さが所定値に設定された第１粗面部と、前記第２の表示部に対応するように設けられ、粗さが前記所定値よりも大きい値に設定された第２粗面部とを備え、前記受光部と前記第２粗面部との間に前記第１粗面部が位置し、前記覆い部材には、前記導光部材を経て前記表示手段に供給される照明光を利用して前記表示手段越しに視認されることになる前記第１粗面部と前記第２粗面部との境界部を、視認者側から視認不可視とする不可視部が設けられていることを特徴とする。
【０００８】
また本発明は、前記覆い部材は、所定の表示意匠部と前記表示意匠部の背景を形成する不透過性の地色部とを有する表示板であり、前記不可視部は、前記第１の表示部と前記第２の表示部とを区画するように、前記地色部に一体的に設けられていることを特徴とする。
【０００９】
また本発明は、前記覆い部材は、前記表示手段の可視領域を定める前面パネルであり、前記不可視部は、前記第１の表示部と前記第２の表示部とを区画するように、前記前面パネルに設けられていることを特徴とする。
【００１０】
また本発明は、前記表示手段と前記導光部材とを少なくとも収容する収納空間部を有するケース体が前記覆い部材の背後側に位置しており、前記表示意匠部を照明するための発光体と、前記発光体からの他の照明光を前記表示意匠部へと導くように前記ケース体に設けられた照明空間部とを備え、前記ケース体には、前記他の照明光の一部が前記導光部材へと導かれるように、前記収納空間部と前記照明空間部とを連通させる貫通孔部が設けられていることを特徴とする。
【発明の効果】
【００１１】
本発明によれば、初期の目的を達成でき、導光部材を用いて表示手段を照明するにあたり、表示品位が低下する虞のない表示装置を提供できる。
【図面の簡単な説明】
【００１２】
【図１】本発明の第１実施形態による表示装置の正面図。
【図２】図１のＡ−Ａ断面図。
【図３】同実施形態による表示装置の要部を拡大した拡大断面図。
【図４】同実施形態による導光部材の背面図。
【図５】同実施形態の変形例による表示装置の要部を拡大した拡大断面図。
【図６】同実施形態の他の変形例による表示装置の要部を拡大した拡大断面図。
【図７】本発明の第２実施形態による表示装置の断面図。
【発明を実施するための形態】
【００１３】
（第１実施形態）以下、図１〜図３に基づいて、本発明を車両に搭載された車両用計器に適用した一実施形態を説明する。
【００１４】
図１、図２において、本実施形態による表示装置としての車両用計器は、回路基板１０と、この回路基板１０に導通装着され回転軸２０が前方に延びる駆動装置３０と、回転軸２０にて回転駆動される指針４０と、この指針４０と回路基板１０との間に配置され、回転軸２０に対応する孔部５１を有する表示板（覆い部材）５０と、指針４０及び表示板５０の後述する表示意匠部を照明する発光体６０と、回路基板１０と表示板５０との間に位置するケース体７０と、表示板５０の背後側であってケース体７０に備えられる空所（後述する収納空間部）に配置される表示ユニット８０と、表示板５０の前方側に位置する前面パネル９０と、回路基板１０の背後側を覆うカバー部材１００とを備えている。
【００１５】
回路基板１０は、例えばガラスエポキシ系基材に配線パターン（図示せず）を施した硬質回路基板からなり、表示ユニット８０に備えられる後述する表示手段の表示制御を行う駆動回路（図示せず）と、表示ユニット８０に備えられる後述する光源の発光制御を行う光源駆動回路（図示せず）と、駆動装置３０の駆動・制御を行う駆動手段（図示せず）と、発光体６０と、抵抗、コンデンサ等の各種回路部品（図示せず）とが前記配線パターンに導通接続されている。
【００１６】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１７】
指針４０は、透光性の合成樹脂からなり、回転軸２０の先端に連結され、その回転中心部には遮光性カバーが装着されている。そして、この指針４０は発光体６０からの光を受けて発光する発光式指針である。
【００１８】
覆い部材としての表示板５０は、指針４０の回転軌道（作動範囲）に沿った円弧状の配列形状を有し、指針４０によって指示される目盛、数字等からなる表示意匠５２と、この表示意匠部５２の背景を形成する不透過性の地色部５３とを有している。
【００１９】
これら表示意匠部５２、地色部５３は、前記表示手段を覆う表示板５０の母材となる薄板状の透光性基板（図示せず）の表面に形成された印刷層からなり、例えば表示意匠部５２は白色系の透光性インクにより形成され、地色部５３は黒色系の遮光性インクにより形成されている。なお、これら表示意匠部５２、地色部５３は、前記透光性基板の背面に形成してもよいものであり、また表示意匠部５２、地色部５３の各印刷層はスクリーン印刷等の手段を用いて印刷形成されている。
【００２０】
また、５４は、前記表示手段に対応する表示板５０箇所に開口形成された開口窓部であり、前記表示手段が開口窓部５４を臨むように構成される。なお、本例では、表示板５０に開口窓部５４を設けたが、例えば開口窓部５４を設けずに前記表示手段に対応する表示板５０（前記透光性基板）箇所が、地色部５３が印刷形成されない抜き印刷部として形成されていてもよい。
【００２１】
発光体６０は、例えば白色光を発するチップ型発光ダイオードからなり、表示板５０の孔部５１に対応する回路基板１０上に複数個配置されている。
【００２２】
ケース体７０は、例えば白色の合成樹脂からなり、表示板５０や表示ユニット８０を保持する保持体としての機能、発光体６０のから光（他の照明光）を前方側に反射させる反射体としての機能を有している。
【００２３】
またケース体７０は、回転軸２０を取り巻くように回路基板１０と表示板５０との間に位置し、表示板５０における孔部５１の周縁を保持する筒状部７１と、この筒状部７１を所定間隔を空けて取り巻くとともに筒状部７１の背後側端部より斜め方向に伸長する第１の反射部７２と、この第１の反射部７２及び筒状部７１に対応して底部側に形成されこれら第１の反射部７２及び筒状部７１を型形成する際の型抜き孔となる開放部７３と、この開放部７３から外側に向かうに従って表示板５０に近接する略皿形状の環状壁からなる第２の反射部７４と、この第２の反射部７４の外周を取り巻く周壁部７５と、表示ユニット８０に備えられる後述する導光部材を保持する保持部７６とを有している。
【００２４】
なお、この場合、第１の反射部７２は発光体６０からの光を主に外周に向けて放射状に反射する反射面を構成し、第２の反射部７４は第１の反射部７２を通じて外周に反射された光を表示板５０側に反射する反射面を構成している。これにより発光体６０からの光は、各反射部７２、７４を通じて表示意匠部５２側に反射導光され、表示意匠部５２を照明することができる。
【００２５】
表示ユニット８０は、表示板５０における開口窓部５４に臨むように配置される表示手段８１と、この表示手段８１の背後に位置する回路基板１０上に実装（配設）される光源８２と、この光源８２から表示手段８１に至る照明経路中に配置される導光部材８３とを備え、光源８２からの照明光を導光部材８３を介して表示手段８１に導く構成となっている。また、この場合、表示ユニット８０は、周壁部７５と保持部７６との間に形成される空間領域からなる収納空間部Ｓ１に収納されている。
【００２６】
表示手段８１は、例えば一対の透明基板間に液晶が封入された略横長矩形状の液晶表示パネルからなり、この場合、車速情報や走行距離情報等の所定情報を表示可能な第１の表示部Ｄ１と、前記所定情報とは異なる他の情報（例えば燃料の残量を表示する残燃料情報やエンジンの冷却水温度を表示する冷却水温情報）を表示可能な第２の表示部Ｄ２とを有している。
【００２７】
第１の表示部Ｄ１は、表示手段８１において、表示手段８１を左右に略２等分したときの右側（つまり光源８２に近い側）に位置し、第２の表示部Ｄ２は、表示手段８１において、表示手段８１を左右に略２等分したときの左側（つまり光源８２から遠い側）に位置している。これにより、表示装置を視認する視認者側から表示手段８１に備えられる第１、第２の表示部Ｄ１、Ｄ２を視認可能とすべく、表示手段８１は表示板５０にて覆われた構成となる。
【００２８】
光源８２は、例えば白色光を発するチップ型発光ダイオードからなり、導光部材８３の後述する受光部と対向するように回路基板１０上に実装されている。なお、光源８２の個数は、前記受光部の下端面の形状（面積）に対応させて必要な個数だけ設ければよい。
【００２９】
導光部材８３は、透光性合成樹脂材料にて形成され、図３に示すように表示手段８１の背後に沿うように配置される略横長矩形状の本体部８４と、光源８２と対向するように本体部８４に一体形成され、光源８２からの照明光を受光する受光部８５とを備えている。
【００３０】
この受光部８５は、本体部８４の一側壁部から光源８２の発光面に向けて垂下するように折り曲げられた構成となっおり、その真上には、受光部８５内に導入された照明光を本体部８４側に反射導光させるための反射部８６が設けられている。
【００３１】
８７は、受光部８５を通じて導光部材８３内に導入された照明光（より具体的には、受光部８５及び反射部８６を通じて本体部８４内に反射導光された照明光）を表示手段８１側に出射するための平坦面からなる出射部であり、この出射部８７は、導光部材８３に備えられる本体部８４の前面に設けられる。
【００３２】
また本体部８４（導光部材８３）の出射部８７との対向領域（つまり本体部８４の背面）には、反射部８６から出射部８７に至る照明経路中に形成され、反射部８６によって本体部８４内に反射導光された照明光が出射部８７から出射される際に、その光量（出射光量）を調整するためのシボ加工等からなる粗面部８８が設けられている。
【００３３】
この粗面部８８は、表示手段８１における第１の表示部Ｄ１に対応するように設けられ、粗さ（シボ深さ）が所定値（例えば１０マイクロメートル）に設定された第１粗面部Ｐ１と、表示手段８１における第２の表示部Ｄ２に対応するように設けられ、粗さ（シボ深さ）が前記所定値よりも大きい値（例えば２０マイクロメートル）に設定された第２粗面部Ｐ２とを備えている。
【００３４】
また、図４は、導光部材８３を背面側から導光部材８３を正視したときの図であり、受光部８５及び各粗面部Ｐ１、Ｐ２の三者の位置関係に着目すると、図４に示すように受光部８５と第２粗面部Ｐ２との間に第１粗面部Ｐ１が位置するような構成となっている。
【００３５】
前面パネル９０は、無色透明の樹脂材料にて形成された透視部９１と、不透過性の黒色樹脂材料にて形成された隠蔽部９２とが一体形成された構成となっており、視認者は、隠蔽部９２が重なっていない透視部９１箇所を通じて指針４０や表示板５０、各表示部Ｄ１、Ｄ２を透視することができる。
【００３６】
カバー部材１００は、合成樹脂材料によって形成され、適宜固定手段を用いて前面パネル９０と固定される。
【００３７】
以上の各部により表示装置が構成されている。ここで、表示ユニット８０に備えられた光源８２が点灯すると、この光源８２から発せられる照明光（白色光）は、導光部材８３を介して表示手段８１へと導かれることになる。具体的には、当該照明光は、光源８２の真上に位置する受光部８５内に採り入れられて、その後、反射部８６によって本体部８４側に反射導光される。そして、本体部８４側に反射導光された照明光は、本体部８４の背面に設けられた各粗面部Ｐ１、Ｐ２によって出射部８７へと導かれ、当該出射部８７から出射し、表示手段８１をバックライト照明する。
【００３８】
この際、受光部８５（光源８２）に近い位置に第１粗面部Ｐ１が位置し、この第１粗面部Ｐ１に比べて受光部８５（光源８２）から遠い位置に粗さが第１粗面部Ｐ１よりも大きい第２粗面部Ｐ２が位置していることに起因して、光源８２からの照明光が届きにくい傾向にある第２粗面部Ｐ２においては、その粗さを大きくして出射部８７（第２の表示部Ｄ２）に向かう光の反射を多めにし、一方、光源８２からの照明光が届き易い傾向にある第１粗面部Ｐ１においては、その粗さを第２粗面部Ｐ２よりもやや小さくして出射部８７（第１の表示部Ｄ１）に向かう光の反射を少なめにしている。
【００３９】
従って、出射部８７全体から出射される照明光はその光量が調整されたものとなり、この光量が調整された照明光が出射部８７から出射されて表示手段８１を透過することで、表示手段８１（各表示部Ｄ１、Ｄ２）をその全体に渡って略均一的にバックライト照明することができる。
【００４０】
ところで、本体部８４の背面に粗さ（シボ深さ）の異なる第１粗面部Ｐ１と第２粗面部Ｐ２とが設けられているような場合、上述のように導光部材８３を経て表示手段８１に供給される照明光を利用して表示手段８１がバックライト照明されると、各表示部Ｄ１、Ｄ２に表示される表示情報に加えて、本来、視認されるべきではない第１粗面部Ｐ１と第２粗面部Ｐ２との間に形成されるライン状境界線からなる境界部Ｐ３が、表示手段８１及び透視部９１越しに視認されることになり、表示品位の低下を招くという問題があった。
【００４１】
これに対し、本実施形態では、導光部材８３を経て表示手段８１に供給される照明光を利用して表示手段８１（表示手段８１及び透視部９１）越しに視認されることになる第１粗面部Ｐ１と第２粗面部Ｐ２との境界部Ｐ３を、視認者側から視認不可能とする不可視部５５が、表示板５０に設けられている構成としている。
【００４２】
具体的には、不可視部５５は、第１の表示部Ｄ１と第２の表示部Ｄ２とを区画するように、表示板５０に備えられる地色部５３に一体形成される。つまり、不可視部５５は、各表示部Ｄ１、Ｄ２を区画するように地色部５３を延長形成したものであって、地色部５３と同様にして前記透光性基板の表面（もしくは背面）に黒色系の遮光性インクを印刷形成することで、境界部Ｐ３を覆い隠す不可視部５５を得ることができる。
【００４３】
このように各表示部Ｄ１、Ｄ２を区画するように不可視部５５が設けられることで、光源８２の点灯時において、ライン状境界線からなる境界部Ｐ３は黒色系の遮光性インクによって形成された不透過性の不可視部５５によって覆い隠される。このため、視認者に対して、本来、視認されるべきではないライン状境界線からなる境界部Ｐ３を表示手段８１（表示手段８１及び透視部９１）越しに視認させない構成となり、表示品位が低下する虞のない表示装置を提供することができる。
【００４４】
以上のように、本実施形態では表示手段８１を覆う表示板（覆い部材）５０を有し、粗面部８８は、第１の表示部Ｄ１に対応するように設けられ、粗さが前記所定値に設定された第１粗面部Ｐ１と、第２の表示部Ｄ２に対応するように設けられ、粗さが前記所定値よりも大きい値に設定された第２粗面部Ｐ２とを備え、受光部８５と第２粗面部Ｐ２との間に第１粗面部Ｐ１が位置し、表示板５０には、導光部材８３を経て表示手段８１に供給される照明光を利用して表示手段８１越しに視認されることになる第１粗面部Ｐ１と第２粗面部Ｐ２との境界部Ｐ３を、視認者側から視認不可視とする不可視部５５が設けられているものである。また、覆い部材である表示板５０は、表示意匠部５２と当該表示意匠部５２の背景を形成する不透過性の地色部５３とを有し、不可視部５５は、第１の表示部Ｄ１と第２の表示部Ｄ２とを区画するように、地色部５３に一体的に設けられているものである。
【００４５】
従って、各表示部Ｄ１、Ｄ２を区画するように不可視部５５が設けられることで、光源８２の点灯時において、ライン状境界線からなる境界部Ｐ３は不透過性の不可視部５５によって覆い隠されるため、視認者に対して、本来、視認されるべきではないライン状境界線からなる境界部Ｐ３を表示手段８１（表示手段８１及び透視部９１）越しに視認させない構成となり、表示品位が低下する虞のない表示装置を提供することができる
【００４６】
また本実施形態では、不可視部５５は地色部５３に一体形成されている例について説明したが、不可視部５５は光源８２の点灯時において、境界部Ｐ３を覆い隠すことが可能であれば、あらゆる構成を採用することができ、例えば本実施形態の変形例として図５に示すように地色部５３に一体形成された不可視部５５を廃止して、前面パネル９０に備えられる隠蔽部９２に一体的に設けられた不可視部９３を利用して境界部Ｐ３を覆い隠したり、あるいは本実施形態の他の変形例として図６に示すように地色部５３に一体形成された不可視部５５を廃止して、前面パネル９０に備えられる透視部９１に設けられた不可視部９４を利用して境界部Ｐ３を覆い隠すような構成であっても、前述した実施形態と同様の作用効果を得ることができる。
【００４７】
つまり、前者の場合、覆い部材は、表示手段８１や指針４０、表示板５０の可視領域を定める前面パネル９０であり、不可視部９３は、第１の表示部Ｄ１と第２の表示部Ｄ２とを区画し、且つ、境界部Ｐ３を覆い隠すように、黒色樹脂材料にて形成された隠蔽部９２（前面パネル９０）に一体的に設けられる構成となる。
【００４８】
また、後者の場合、覆い部材は、表示手段８１や指針４０、表示板５０の可視領域を定める前面パネル９０であり、不可視部９４は、第１の表示部Ｄ１と第２の表示部Ｄ２とを区画し、且つ、境界部Ｐ３を覆い隠すように、前面パネル９０に備えられる透視部９１の前面（または背面）に設けられた黒色の着色部からなる。
【００４９】
（第２実施形態）次に、本発明の第２実施形態を図７に基づいて説明するが、前述の第１実施形態と同一もしくは相当個所には同一の符号を用いてその詳細な説明は省略する。
【００５０】
この第２実施形態の場合、図７に示すように、表示手段８１と光源８２と導光部材８３とを収容する収納空間部Ｓ１を有するケース体７０が表示板（覆い部材）５０の背後側に位置しており、表示意匠部５２を照明するための白色光を発するチップ型発光ダイオードからなる発光体６０と、この発光体６０からの他の照明光（この第２実施形態では光源８２から発せられる照明光と区別するため、発光体６０から発せられる光を他の照明光と言う）を表示意匠部５２へと導くようにケース体７０に設けられた照明空間部Ｓ２とを備え、保持部７６（ケース体７０）には、前記他の照明光の一部が導光部材８３へと導かれるように、収納空間部Ｓ１と照明空間部Ｓ２とを連通させる開口窓からなる貫通孔部７６ａが設けられた構成となっている。
【００５１】
ここで、上述の照明空間部Ｓ２は、第１の反射部７２と第２の反射部７４とで仕切られた照明室として形成され、前記他の照明光が前記照明室を通じて表示意匠部５２へと反射導光され、表示意匠部５２を背後から照明することができる。
【００５２】
また、本第２実施形態の場合、図７中、導光部材８３の左側に位置する一側面８３ａと対向する保持部７６箇所が刳り貫かれることで、上述した貫通孔部７６ａが得られる構成となっている。そして、この貫通孔部７６ａを介して、収納空間部Ｓ１は照明空間部Ｓ２と連通しており、発光体６０の点灯時に発光体６０から発せられる前記他の照明光は、その一部が貫通孔部７６ａを通過して、一側面８３ａから第２の表示部Ｄ２に対応する導光部材８３箇所に導入される。
【００５３】
従って、第２の表示部Ｄ２に対応する導光部材８３箇所にあっては、受光部８５からの距離が遠い位置にあり、光源８２からの照明光が届きにくい領域であるが、この第２の表示部Ｄ２に対応する導光部材８３箇所では、貫通孔部７６ａを通過する前記他の照明光の一部と、受光部８５及び反射部８６によって反射導光される光源８２からの照明光との双方が導入されることから、第２の表示部Ｄ２に対応する出射部８７箇所に供給される光量を効率よく補うことができ、表示手段８１の照明ムラを抑制することができるというメリットがある。
【００５４】
なお、本第２実施形態の場合、周壁部７５と保持部７６との間に形成される空間領域からなる収納空間部Ｓ１に、表示手段８１と光源８２と導光部材８３とで構成された表示ユニット８０が収納されている例について説明したが、例えば表示ユニット８０のうち表示手段８１と導光部材８３を収納空間部Ｓ１に収納し、光源８２は、その周囲が周壁部７５や保持部７６によって包囲されていなくてもよい。
【符号の説明】
【００５５】
５０    表示板（覆い部材）
５２    表示意匠部
５３    地色部
５５    不可視部
６０    発光体
７０    ケース体
７６    保持部
７６ａ  貫通孔部
８０    表示ユニット
８１    表示手段
８２    光源
８３    導光部材
８４    本体部
８５    受光部
８６    反射部
８７    出射部
８８    粗面部
９０    前面パネル
Ｄ１    第１の表示部
Ｄ２    第２の表示部
Ｐ１    第１粗面部
Ｐ２    第２粗面部
Ｐ３    境界部
Ｓ１    収納空間部
Ｓ２    照明空間部
【図１】
2015206851.tif 000003
【図２】
2015206851.tif 000004
【図３】
2015206851.tif 000005
【図４】
2015206851.tif 000006
【図５】
2015206851.tif 000007
【図６】
2015206851.tif 000008
【図７】
2015206851.tif 000009